(57)【特許請求の範囲】
【請求項１】
プロセッサが、医用レポートを分析して、時間の経過に伴う医用データの変化に対応する経時的変化データが要求されているかどうかを決定するステップと、
前記プロセッサが、前記医用レポート内の所定のフィールドから、経時的変化に対応するキーワードを抽出するステップと、
前記プロセッサが、抽出された前記キーワードを、該キーワードが第１のパターンに適合する場合に、前記経時的変化に対応する第１のカテゴリーに分類する、及び、前記抽出されたキーワードを、該キーワードが第２のパターンに適合する場合に第２のカテゴリーに分類するステップと、
前記プロセッサが、前記キーワードが前記第２のカテゴリーに対応する場合に通知メッセージを生成し、前記キーワードが前記カテゴリーのいずれにも対応しない場合に、経時的変化の情報を欠いていることを示す警告メッセージを生成するステップと、
を含む方法。
【請求項２】
前記プロセッサが、医用レポートが完成されたという通知を受けるステップをさらに含み、前記通知は、前記医用レポートの分析を自動的に開始する、請求項１に記載の方法。
【請求項３】
前記第１のカテゴリーは、経時的回復、経時的減少、経時的変化なし、重要ではない経時的変化、経時的変化及び経時的増加のうち少なくとも１つを含むセットから選択される、請求項１に記載の方法。
【請求項４】
前記キーワードは、前記セットに対応する所定のリストから選択される、請求項３に記載の方法。
【請求項５】
前記医用レポートを分析することは、前記プロセッサが、以前のセッションからの解剖学的形態及び切片の情報のうちの１つに対応するキーワードに対して前記医用レポートをスキャンすることを含む、請求項１に記載の方法。
【請求項６】
前記医用レポートを分析することは、前記プロセッサが、以前の医用レポートのセッションと前記医用レポートとの時間間隔を計算することを含む、請求項１に記載の方法。
【請求項７】
前記時間間隔が所定の閾値を超える場合、前記プロセッサが、経時的変化情報が必要とされるということを決定する、請求項６に記載の方法。
【請求項８】
前記通知メッセージは、ウィンドウの表示、音によるメッセージ及び触覚によるフィードバックのうちの１つである、請求項１に記載の方法。
【請求項９】
ユーザインターフェースを介して、前記プロセッサが、前記医用レポートを受けるステップをさらに含む、請求項１に記載の方法。
【請求項１０】
前記医用レポートは、画像データ保管通信システムを介して伝達される放射線画像診断レポートである、請求項１に記載の方法。
【請求項１１】
医用レポートにおいて情報を欠いていると医療従事者に警告するシステムであって、
経時的変化に対応するキーワードを含むキーワードデータベースを格納するメモリ、並びに
前記医用レポートを分析して、時間の経過に伴う医用データの変化に対応する経時的変化データが要求されているかどうかを決定することと、前記医用レポート内の所定のフィールドから、前記キーワードデータベース内のキーワードに対応するキーワードを抽出することと、抽出された前記キーワードを、該キーワードが第１のパターンに適合する場合に、前記経時的変化に対応する第１のカテゴリーに分類する、及び、前記抽出されたキーワードを、前記抽出されたキーワードが第２のパターンに適合する場合に第２のカテゴリーに分類することと、前記抽出されたキーワードが前記第２のカテゴリーに対応する場合に通知メッセージを生成し、前記抽出されたキーワードが前記カテゴリーのいずれにも対応しない場合に、経時的変化の情報を欠いていることを示す警告メッセージを生成することを含む作動を行う指令を実行するプロセッサ、
を含むシステム。
【請求項１２】
前記プロセッサは、前記医用レポートの完成又はその伝達を試みた後、前記医用レポートの分析を自動的に開始する、請求項１１に記載のシステム。
【請求項１３】
前記第１のカテゴリーは、経時的回復、経時的減少、経時的変化なし、重要ではない経時的変化、経時的変化及び経時的増加のうち少なくとも１つを含むセットから選択され、
前記キーワードは、前記セットのカテゴリーに対応する所定のリストから選択される、請求項１１に記載のシステム。
【請求項１４】
前記プロセッサは、神経言語プログラミングを使用して、前記医用レポート内の前記キーワードデータベースのキーワードを突き止める、請求項１１に記載のシステム。
【請求項１５】
コンピュータプログラムであって、プロセッサに、
医用レポートを分析して、時間の経過に伴う医用データの変化に対応する経時的変化データが要求されているかどうかを決定することと、
前記医用レポート内の所定のフィールドから、経時的変化に対応するキーワードを抽出することと、
抽出された前記キーワードを、該キーワードが第１のパターンに適合する場合に、前記経時的変化に対応する第１のカテゴリーに分類する、及び、前記抽出されたキーワードを、該キーワードが第２のパターンに適合する場合に第２のカテゴリーに分類することと、
前記キーワードが前記第２のカテゴリーに対応する場合に通知メッセージを生成し、前記キーワードが前記カテゴリーのいずれにも対応しない場合に、経時的変化の情報を欠いていることを示す警告メッセージを生成すること、
を実行させる、コンピュータプログラム。
【発明の詳細な説明】
【背景技術】
【０００１】
放射線画像診断手順は、多数の医療従事者（例えば、参照する医師、腫瘍学者、放射線科医等）の間で患者データの情報交換を要求することが多くある。そのような場合には、放射線画像診断レポート（ｒａｄｉｏｌｏｇｙ  ｒｅｐｏｒｔ）が、放射線科医によって別の医療従事者まで伝達される。放射線画像診断レポートは、患者に関係するデータを含み、さらに、多数の来診に対応するデータを含んでもよい。そのような場合、受け取る医療従事者にとって、多数の来診間の患者の経時的変化に関する情報を有することが重要である。
【発明の概要】
【発明が解決しようとする課題】
【０００２】
しかし、放射線科医は、経時的変化データを入力するのを忘れることが多くある。そのような場合、医療従事者は、患者を診断することができず、従って、さらなる通院、欠いている情報を依頼するための医療スタッフとのさらなる通信、及び、患者の診断又は治療の遅延を要求する。
【課題を解決するための手段】
【０００３】
医用レポートを分析して、時間の経過に伴う医用データの変化に対応する経時的変化データが要求されているかどうかを決定する、医用レポート内の所定のフィールドから、経時的変化に対応するキーワードを抽出する、抽出されたキーワードを、そのキーワードが第１のパターンに適合する場合に、経時的変化に対応する第１のカテゴリーに分類する、及び、抽出されたキーワードを、そのキーワードが第２のパターンに適合する場合に第２のカテゴリーに分類する、さらに、そのキーワードが第２のカテゴリーに対応する場合に通知メッセージを生成するためのシステム、方法並びにコンピュータ可読記憶媒体が提供される。
【０００４】
本発明のいくつかの実施形態が、例として、及び、付随の図面を参考にして以下に記載される。
【図面の簡単な説明】
【０００５】
【図１】例証的な実施形態によるシステムの概略図である。
【図２】例証的な方法の流れ図である。
【図３】第１の例証的な実施形態による放射線画像診断レポートの図である。
【図４】第２の例証的な実施形態による放射線画像診断レポートの図である。
【図５】第３の例証的な実施形態による放射線画像診断レポートの図である。
【発明を実施するための形態】
【０００６】
例証的な実施形態は、以下の説明及び付随の図面を参考にしてさらに理解することができる。例証的な実施形態は、放射線画像診断レポートを作製する及び／又は伝達するときに重要なフィールドが省略された場合に警告を生成するためのシステム及び方法を示唆している。第１の例証的な実施形態において、当該システムは、当技術分野において既知の標準的な画像データ保管通信システム（“ＰＡＣＳ”）に繋げられる。有効な構成において、当該システムは、ＰＡＣＳシステムを介して作製された医用レポートのフィールドをモニターし、さらに、放射線科医が、重要なフィールドなしで放射線画像診断レポートを閉じること及び／又は伝達することを試みる場合に警告メッセージを生成する。特に、例証的な方法は、放射線科医が、放射線画像診断レポートを閉じること及び／又は伝達することを試みると開始される。当該システムは、放射線画像診断レポートにおける入力から、経時的変化情報が必要かどうかを決定する。例証的な経時的変化情報は、対象における関心のある病変、小結節又は他の特徴のサイズ、形状及び位置における変化を含む。特に、当該方法は、放射線画像診断レポートが、現在のレポート内のいかなる以前の対象の状態又は以前の放射線画像診断レポートも参照するかどうかを決定する。参照する場合、当該システムは、例証的なアルゴリズムを使用して、所定のキーワードのセットに対して、放射線画像診断レポートの少なくとも一部をスキャンし、さらに、検索結果に基づき経時的変化を分類する。放射線画像診断レポート内のキーワードが、所定のカテゴリーのセットのうちの１つに適合する場合、当該システムは、放射線画像診断レポートが閉じられる又は伝達されるのを可能にする。放射線画像診断レポート内のキーワードが、所定のカテゴリーのセットのうちの１つに適合しない場合、「非言及（ｎｏｔ  ｍｅｎｔｉｏｎｅｄ）」として分類される。次に、警告メッセージが生成されて、欠いている情報に対して放射線科医に注意を喚起し、さらに、省略されたものが入力されるのを可能にする。本明細書において開示される例証的なアルゴリズムは、放射線画像診断レポート内の欠いている経時的変化情報を放射線科医又は品質保証関係者に気づかせるために使用することができる。例証的なシステム及び方法が、ＰＡＣＳにおける放射線画像診断レポートに関して記載されてきたけれども、本明細書において開示される例証的な検索及び類別アルゴリズムは、いかなる他の医療情報学レポートシステムにおけるいかなる他の情報抽出アルゴリズムに適用されてもよく、又は、該情報抽出アルゴリズムと組み合わされてもよいということに留意されたい。
【０００７】
例証的な実施形態が、例証的なシステム１００及び方法２００を描いている図１〜２に関してより詳細に記載される。第１の例証的なステップ２０２において、システム１００は、ＰＡＣＳをモニターし、さらに、ユーザインターフェース１１０（例えば、キーボード、タッチスクリーン等）を介して、放射線画像診断レポートが完成されたという通知を放射線科医又は他のユーザが提供したかどうかを決定する。この通知は、放射線科医がＰＡＣＳにおける放射線画像診断レポートを閉じるときに、又は、放射線科医がＰＡＣＳによって放射線画像診断レポートを伝達することを試みる場合に生成されてもよい。上記の通知は、ＰＡＣＳによって自動的に生成されるもののうちの１つであってもよく、又は、ユーザによって手動で生成されてもよい。このように、ＰＡＣＳが閉じる前、又は、放射線画像診断レポートが１人又は複数の対象とする受取人に伝達される前に、当該方法は、ステップ２０４まで進む。ステップ２０４において、システム１００は、経時的変化情報が放射線画像診断レポートにおいて必要とされるかどうかを決定する。特に、システム１００のプロセッサ１０６は、メモリ１０４に入力されたデータ、並びに、データベース１０２に格納されたデータ（例えば、以前に入力されたデータ等）をスキャンし、さらに、患者情報が以前のセッションから入手可能かどうかを決定する。例えば、プロセッサ１０６は、放射線画像診断レポートをスキャンして、レポートが、多数のセッションからのデータを含むかどうかを決定することができる。含む場合、システム１００は、複数のセッション間の時間枠を決定する。特に、プロセッサは、複数の放射線画像診断レポートのそれぞれから、入力の日付を含有するフィールドを参照し、さらに、その時間差を決定することができる。情報が、単一のセッション（例えば、現在のセッション）に対してのみ入手可能である場合、又は、多数のセッション間の時間枠が、臨床的に重要でないと決定される場合、当該方法は、ステップ２１８まで進み、放射線画像診断レポートは、閉じられるか又は伝達される。システム１００が、以前の比較研究に対応するデータを突き止める場合、当該システムは、経時的変化が必要とされるということを決定し、さらに、ステップ２０６まで進む。代わりとなる実施形態において、システム１００は、臨床的に重要ではないと思われ得る（例えば、１ヶ月未満、１週間未満等）時間枠を選択することができ、従って、経時的変化情報を必要とすることなく済ませる。同様に、別の実施形態において、時間枠が、（例えば、１ヶ月よりも大きい、１週間よりも大きい等）所定の閾値よりも大きい場合、システム１００は、経時的変化情報が必要であるということを決定することができる。別の実施形態において、放射線画像診断レポートの入力の日付が、対応するフィールドにおいて提供されていない場合、プロセッサ１０６は、放射線画像診断レポートの全体をスキャンして、日付情報を突き止めることができ、この日付情報は、当業者が理解するように、（例えば、ＤＤ／ＭＭ／ＹＹＹＹ、ＤＤ／ＭＭ／ＹＹ等）所定のパターンに対応する。
【０００８】
ステップ２０６において、システム１００は、自然言語処理（ＮＬＰ）を使用して、放射線画像診断レポートにおいて、テストされている体の一部の解剖学的、空間的及び位置的特徴に関する詳細な情報を含む関心のある知見を突き止める。例えば、システム１００は、関連のあるデータを含有する放射線画像診断レポート内のパラグラフ又はフィールドを突き止めることができる。別の実施形態において、システム１００は、関連のあるデータに対して、放射線画像診断レポートの１つ又は複数の所定のフィールド（例えば、「知見」フィールド、「所見（ｉｍｐｒｅｓｓｉｏｎ）」フィールド等）のみをスキャンすることができる。関心のあるフィールドが放射線画像診断レポートにおいて同定されると、当該方法はステップ２０８まで進み、システム１００が、関心のあるフィールドから、経時的変化を記載するのに使用される特定の情報を抽出する。特に、システム１００は、経時的変化を記載するのに使用され且つデータベース１０２内に格納される典型的な単語又は句に基づき選択された所定のキーワードのセットに対して、関心のあるフィールドにおけるデータをスキャンする。表１は、そのようなキーワードの包括的でないリストを描いている。表１におけるキーワードは、単に例証的であり、経時的変化を記載するのに使用されるいかなる他のキーワードも含んでよいということに留意されたい。
【０００９】
【表１】
0006612752.tif 000002
システム１００が、関心のあるフィールドにおいて表１のキーワードのうち１つ又は複数のキーワードを突き止める場合、システムは、ステップ２１２まで進み、キーワードは分類される。以下においてより詳細に記載されるように、キーワードが見つからない場合、システムは、ステップ２１６まで進み、警告メッセージが生成されて、経時的変化情報がレポートから欠いているということを示す。ステップ２１２に戻ると、システム１００は、表１の「フォーマット」カテゴリー内に列挙されたキーワードに対して、関心のある１つ又は複数のフィールドをスキャンする。当業者が理解することになるように、これらのキーワードは、以下において図３〜５に関してより詳細に記載されるように、典型的には放射線画像診断を介して分析され且つ放射線画像診断レポートにおいて記載される病変及び他の異常に対する記述子である。いかなる数の上記のキーワードも放射線画像診断レポートにおいて突き止められると、キーワードは、表１において列挙された７つのカテゴリーのうちの１つに分類される。特に、システム１００は、カテゴリーのうちどれに、突き止められたキーワードは属するのかを決定する。以下の表２は、表１において定められているキーワード検索アルゴリズムを介して決定された、７つのカテゴリーのそれぞれに関する例となる知見を描いている。
【００１０】
【表２】
0006612752.tif 000003
ステップ２１２において、キーワードが、「経時的」という用語、並びに、「回復（ｒｅｓｏｌｕｔｉｏｎ）」、「治癒」、「排除」、「クリアランス」及び「改善」という用語のうちいずれか、又は、「回復した／している／する」という用語を含む場合、システム１００は、「経時的回復」のカテゴリーにおいてその放射線画像診断レポートを類別する。レポートが、表１のカテゴリーのうちいずれの他のカテゴリーにも対応しないキーワードを含有する場合、そのデータは、「非言及」として分類される。ステップ２１４において、システム１００は、カテゴリーが「非言及」であるかどうかを決定し、「非言及」である場合、当該方法は、ステップ２１６まで進んで、放射線科医に、経時的変化のデータが欠いているということを示す警告を送る。警告２１６は、ディスプレイ１０８上に示されるウィンドウ、音による通知、触覚によるフィードバック、放射線科医に伝達される（例えば携帯、電子メール等の）メッセージ、又は、上記のもののいかなる組み合わせの形であってもよい。この事象において、放射線画像診断レポートに含まれるデータは、（例えば医師等の）エンドユーザーが経時的変化情報を適切に分類して、患者を診断／治療するのを可能にするのに十分ではないということが認識される。カテゴリーが、「経時的回復」、「経時的減少」、「経時的変化なし」、「重要ではない経時的変化」、「経時的変化」又は「経時的増加」のうちいずれかである場合、当該方法は、ステップ２１８まで進み、放射線画像診断レポートは、放射線科医によって要求されるように、閉じられる及び／又は伝達される。
【００１１】
別の実施形態において、表１から選択されるカテゴリーは、放射線画像診断レポート内に含まれてもよい。さらに別の実施形態において、システム１００は、放射線画像診断レポート内の経時的変化に関連したキーワードを示すテキストを強調することができる。
【００１２】
上記のキーワード及びカテゴリーは単に例証的であるということに留意されたい。他の関心のあるフィールドに対してスキャンし且つ分類することができる放射線画像診断レポートに同様に関連したキーワード及びカテゴリーがあってもよい。実際、時間の経過に伴い、システム１００は、経時的情報に関する異なるキーワードを学習することができるか、又は、ユーザは、キーワード若しくはそのキーワードに対するカテゴリーを追加することができる。加えて、当業者は、異なるタイプのレポート（例えば、異なるタイプの放射線画像診断レポート又は放射線画像診断ではないレポート）を、そのタイプのレポートに適切なキーワード及びカテゴリーを使用して分析することができるということを理解することになる。
【００１３】
図３は、タイトル情報、臨床情報、技術、比較、知見、所見及び放射線科医の署名にそれぞれ対応する複数のフィールド３０２、３０４、３０６、３０８、３１０、３１２、３１４を含む例証的な放射線画像診断レポート３００を描いている。例証的な方法２００によると、システム１００は、ステップ２０２において、レポートが放射線科医によって完成される及び／又は伝達されることになるという通知を受ける。ステップ２０４において、システム１００は、放射線画像診断レポート３００を検査して、経時的変化情報が必要とされるかどうかを決定する。一実施形態において、システム１００は、最初に、比較フィールド３０８を分析してもよい。一般的に、比較フィールド３０８は、いかなる以前の放射線画像診断レポートの日付も、現在の放射線画像診断レポートの日付も列挙している。放射線画像診断レポートにおいて、比較フィールド３０８は「なし」と記載しており、いかなる放射線画像診断レポートも、現在の対象に対して作製されていないということを示している。しかし、ステップ２０４内の検証ステップとして、システム１００は、臨床情報フィールド３０４をさらに分析する。本実施形態において、臨床情報フィールド３０４のスキャンによって、解剖学的形態及び切片の情報（例えば、小結節、「左上葉」等）に関するキーワードが生じ、従って、以前の研究において小結節が見つかったということ、及び、経時的変化情報が必要とされるということをシステムに示している。システム１００は、次に、ステップ２０６〜２１４まで進み、さらに、ＮＬＰ技術を使用して、先により詳細に記載したように、（例えば以前の放射線画像診断レポートから）いかなる以前の知見も含有している単語、句又は文を抽出する。表１に提供されているキーワードを使用して、システム１００は、放射線画像診断レポート３００が「非言及」のカテゴリーの下類別されるということを決定し、従って、経時的変化情報が欠いているという放射線科医に対する警告メッセージの表示を促している。
【００１４】
図４は、タイトル情報、臨床情報、技術、比較、知見、所見及び放射線科医の署名にそれぞれ対応する複数のフィールド４０２、４０４、４０６、４０８、４１０、４１２、４１４を含む別の例証的な放射線画像診断レポート４００を描いている。例証的な方法２００によると、システム１００は、ステップ２０２において、レポートが放射線科医によって完成される及び／又は伝達されることになるという通知を受ける。ステップ２０４において、システム１００は、放射線画像診断レポート４００を検査して、経時的変化情報が必要とされるかどうかを決定する。本実施形態において、比較フィールド４０８は、２０１１年６月１８日という以前のレポートの日付を記載しており、従って、経時的変化情報が必要とされるということを示している。システム１００は、次に、ステップ２０６〜２１４まで進み、さらに、ＮＬＰ技術を使用して、先により詳細に記載したように、（例えば以前の放射線画像診断レポートから）いかなる以前の知見も含有している単語、句又は文を抽出する。表１に提供されているキーワードを使用して、システム１００は、放射線画像診断レポート４００が「非言及」のカテゴリーの下類別されるということを決定し、従って、経時的変化情報が欠いているという放射線科医に対する警告メッセージの表示を促している。
【００１５】
図５は、タイトル情報、臨床情報、技術、比較、知見、所見及び放射線科医の署名にそれぞれ対応する複数のフィールド５０２、５０４、５０６、５０８、５１０、５１２、５１４を含む別の例証的な放射線画像診断レポート５００を描いている。例証的な方法２００によると、システム１００は、ステップ２０２において、レポートが放射線科医によって完成される及び／又は伝達されることになるという通知を受ける。ステップ２０４において、システム１００は、放射線画像診断レポート５００を検査して、経時的変化情報が必要とされるかどうかを決定する。本実施形態において、比較フィールド５０８は、２０１１年６月７日という以前のレポートの日付を記載しており、従って、経時的変化情報が必要とされるということを示している。システム１００は、次に、ステップ２０６〜２１４まで進み、さらに、ＮＬＰ技術を使用して、先により詳細に記載したように、（例えば以前の放射線画像診断レポートから）いかなる以前の知見も含有している単語、句又は文を抽出する。表１に提供されているキーワードを使用して、システム１００は、放射線画像診断レポート５００が「経時的回復」のカテゴリーの下類別されるということを決定する。従って、放射線画像診断レポート５００の分類後、方法２００はステップ２１８まで進み、レポートは伝達される／閉じられる。
【００１６】
当業者は、上記の例証的な実施形態は、別のソフトウェアモジュールとして、ハードウェアとソフトウェアの組み合わせとして等を含む、いかなる数の様式でも実行されてよいということを理解することになる。例えば、システム１００は、コンパイルされた場合にプロセッサ上で実行することができるコード行を含有するプログラムを含んでもよい。このプログラムは、非一時的コンピュータ可読記憶媒体上で具体化することができる。
【００１７】
特許請求の範囲は、ＰＣＴルール６．２（ｂ）により参照記号／番号を含んでもよいということに留意されたい。しかし、本願の請求項は、参照記号／番号に対応する例証的な実施形態に限定されるとして考慮されるべきではない。
【００１８】
付随の特許請求の範囲の広範な範囲から逸脱することなく、本発明の種々の修正及び変更をすることができるということが当業者によって正しく理解されることになる。これらの修正及び変更の一部は先に考察されており、さらに、他の修正及び変更が当業者には明らかになる。
【図１】
0006612752.tif 000004
【図２】
0006612752.tif 000005
【図３】
0006612752.tif 000006
【図４】
0006612752.tif 000007
【図５】
0006612752.tif 000008